(57)【要約】      （修正有）【課題】容易に開函してトレイを形成でき、強度が大きい箱体を形成できる箱用シートを提供する。【解決手段】箱用シートは、１枚のシート材から形成され、複数のパネルを備え、複数のパネルの１又は２以上によってそれぞれ構成され、四角筒状に配置される４つの側壁、並びに４つの側壁から形成される周壁の上下端を封止する天壁及び底壁を有する箱体に組み立て可能な箱用シートであって、４つの側壁の少なくとも一部を形成する複数のパネルに、周壁の略全周に亘って破断可能な分割破断容易線１４が形成され、隣接する２つの側壁の少なくとも一部を形成する２つの隣接するパネルに跨がって、分割破断容易線１４に接続される開口を形成可能な開口形成部１５が形成される。【選択図】図１
0003211642.tif 000002
【実用新案登録請求の範囲】
【請求項１】
１枚のシート材から形成され、
複数のパネルを備え、
上記複数のパネルの１又は２以上によってそれぞれ構成され、四角筒状に配置される４つの側壁、並びに上記４つの側壁から形成される周壁の上下端を封止する天壁及び底壁を有する箱体に組み立て可能な箱用シートであって、
上記４つの側壁の少なくとも一部を形成する複数のパネルに、上記周壁の略全周に亘って破断可能な分割破断容易線が形成され、
隣接する２つの上記側壁の少なくとも一部を形成する２つの隣接するパネルに跨がって、上記分割破断容易線に接続される開口を形成可能な開口形成部が形成されることを特徴とする箱用シート。
【請求項２】
上記開口形成部が、この開口形成部が形成された２つの隣接するパネルの境界を挟んで上記分割破断容易線から延びる一対の基端折曲容易線と、この一対の基端折曲容易線の先端間を接続する開口破断容易線と、上記開口形成部が形成された２つの隣接するパネルの境界近傍位置において、上記開口破断容易線及び上記分割破断容易線間を接続するよう形成される開函開始切断線とを有する請求項１に記載の箱用シート。
【請求項３】
上記開函開始切断線が、隣接する２つの側壁の境界から互い違いにオフセットされて上記開口破断容易線及び上記分割破断容易線間からそれぞれ延びる一対の端縁部と、この一対の端縁部の先端間を接続する接続部とを有する請求項２に記載の箱用シート。
【請求項４】
上記開口形成部が形成されていない２つの隣接するパネル間の境界のうち、上記分割破断容易線が交差する境界に沿って、上記分割破断易線から両方向に延びる３本の解体切断線を有する請求項１、請求項２又は請求項３に記載の箱用シート。
【請求項５】
上記分割破断容易線が少なくとも１つの側壁内で上下方向に凸状となるよう湾曲している請求項１から請求項４のいずれか１項に記載の箱用シート。
【考案の詳細な説明】
【技術分野】
【０００１】
本考案は、箱用シートに関する。
【背景技術】
【０００２】
商品を輸送するために、例えば段ボールシートから形成される箱体が広く利用されている。商品輸送用の箱体の周壁全体に亘って一対の破断容易線によって画定される引き裂き帯を形成し、箱体を上下に分割するように開函して箱体の下側部分を商品展示用のトレイとして使用できるようにしたものも多く用いられている。
【０００３】
このように、引き裂き帯によって箱体を上下に分割する場合、箱体の全周に亘って引き裂き帯を分離する必要があり、引っ張る方向を変えながら引き裂き帯を複数回に亘って引っ張る作業を行わなければならない。
【０００４】
また、箱体を開函した後、箱体を形成するシート材は折り畳まれ、複数のシート材を重ねた束としてハンドリングされることが多い。しかしながら、引き裂き帯によって箱体を上下に分割すると、引き裂き帯が小さいゴミとなる。このため、複数の箱体を開函した場合、引き裂き帯を例えばゴミ袋に回収する等して、別途処理する必要があるという不都合もある。
【０００５】
例えば特許第５８８３５３３号公報には、箱体の全周に亘って１本の破断容易線を形成し、この破断容易線の隣接する側壁間を跨ぐ部分を断続的にシート材を切断したミシン目とし、側壁の中央部に存在する部分を連続して切断したスリットとしたことにより、隣接する側壁間の角部の破断容易線の上下を引き離すようにして、破断容易線に沿って箱体を分離可能としたトレイ用シートの発明が開示されている。
【０００６】
上記公報に記載の発明は、一旦箱体を形成してから形成した箱体を２つに分割することで、一度に２つのトレイを形成するものであり、トレイの組み立て効率を向上することができる。上記公報に記載の考案は、箱体を輸送用箱として利用することを想定していないため、破断容易線が側壁の中央部において連続して切断されている。つまり、上記公報に記載のトレイ用シートを組み立てた箱体は、輸送用箱として使用するには強度が不十分である。
【先行技術文献】
【特許文献】
【０００７】
【特許文献１】特許第５８８３５３３号公報
【考案の概要】
【考案が解決しようとする課題】
【０００８】
上記実情に鑑みて、本考案は、容易に開函してトレイを形成でき、強度が大きい箱体に組み立て可能な箱用シートを提供することを課題とする。
【課題を解決するための手段】
【０００９】
上記課題を解決するためになされた考案は、１枚のシート材から形成され、複数のパネルを備え、四角筒状に配置される４つの側壁、並びに上記４つの側壁から形成される周壁の上下端を封止する天壁及び底壁を有する箱体に組み立て可能な箱用シートであって、上記４つの側壁の少なくとも一部を形成する複数のパネルに、上記周壁の略全周に亘って破断可能な分割破断容易線が形成され、隣接する２つの上記側壁の少なくとも一部を形成する２つの隣接するパネルに跨がって、上記分割破断容易線に接続される開口を形成可能な開口形成部が形成されることを特徴とする箱用シートである。
【００１０】
当該箱用シートは、組み立て状態で上記周壁の略全周に亘って形成される上記分割破断容易線を備え、上記分割破断容易線に接続され、２つの側壁に跨がる開口を形成可能な開口形成部を有するため、開口形成部により形成した開口に両手の指をかけて、上記分割破断容易線に沿って箱体を上下２つに引き裂くことができる。このように、当該箱用シートは、箱体を上下方向に引き裂くことで、全ての側壁を一度で分割することができるので、容易且つ迅速に箱体を開函することができる。また、当該箱用シートは、１本の分割破断容易線に沿って箱体を分割するので、開函時にシート材の小片が発生しないため、開函後の箱用シートの処理が簡単である。
【００１１】
当該箱用シートにおいて、上記開口形成部が、この開口形成部が形成された２つの隣接するパネルの境界を挟んで上記分割破断容易線から延びる一対の基端折曲容易線と、この一対の基端折曲容易線の先端間を接続する開口破断容易線と、上記開口形成部が形成された２つの隣接するパネルの境界近傍位置において、上記開口破断容易線及び上記分割破断容易線間を接続するよう形成される開函開始切断線とを有することが好ましい。この構成によれば、一対の基端折曲容易線を基端とする一対の舌片が画定され、この一対の舌片を引き起こすことによって開口を形成することができる。
【００１２】
当該箱用シートにおいて、上記開函開始切断線が、隣接する２つの側壁の境界から互い違いにオフセットされて上記開口破断容易線及び上記分割破断容易線間からそれぞれ延びる一対の端縁部と、この一対の端縁部の先端間を接続する接続部とを有することが好ましい。この構成によれば、上記開函開始切断線が２つの側壁の境界からオフセットされていることによって、一対の舌片の先端が側壁から互い違いに突出し、舌片を引き起こして開口を形成する操作が容易となる。
【００１３】
当該箱用シートにおいて、上記開口形成部が形成されていない２つの隣接するパネル間の境界のうち、上記分割破断容易線が交差する境界に沿って、上記分割破断易線から両方向に延びる３本の解体切断線を有することが好ましい。この構成によれば、３本の解体切断線が当該箱用シートを組み立てなる箱体を分割破断容易線に沿って上下に分割して形成される一対のトレイ状体の側壁間の破断の起点となるため、開函後の箱用シートを平坦に潰すことが容易である。
【００１４】
当該箱用シートにおいて、上記分割破断容易線が少なくとも１つの側壁内で上下方向に凸状となるよう湾曲していることが好ましい。この構成によれば、上記分割破断容易線が湾曲することで、側壁が屈曲することによる箱体の座屈強度の低下を抑制することができる。
【考案の効果】
【００１５】
以上のように、本考案の箱用シートを組み立ててなる箱体は、容易に開函してトレイを形成することができ、強度が大きい。
【図面の簡単な説明】
【００１６】
【図１】本考案の一実施形態の箱用シートを示す模式的裏面図（展開図）である。
【図２】図１の箱用シートを組み立ててなる箱体の斜視図である。
【図３】図２の箱体の開函の一工程を示す斜視図である。
【図４】図２の箱体の開函の図３の次の工程を示す斜視図である。
【考案を実施するための形態】
【００１７】
以下、適宜図面を参照しつつ、本考案の実施の形態を詳説する。
【００１８】
［箱用シート］
図１に、本考案の一実施形態に係る箱用シートを示す。なお、図１において、太い実線はシート材を切断した切断線を示し、細い実線はシート材の裏面側（組立て時に内側に配置される面）に筋押しして形成される罫線を示す。従って、図１において破線状に見える部分は、シート材が断続的に切断されたいわゆるミシン目である。
【００１９】
当該箱用シートは、１枚のシート材から形成される。当該箱用シートを形成するシート材としては、例えば段ボールシート、プラスチックボード、ボール紙等を用いることができ、中でも段ボールシートが好適に用いられる。
【００２０】
上記段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２１】
当該箱用シートは、切断線及び罫線によって画定される複数のパネルを備える。当該箱用シートは、図２に示すように、上記複数のパネルの１又は２以上によってそれぞれ構成され、四角筒状に配置される４つの側壁、並びに上記４つの側壁から形成される周壁の上下端を封止する天壁及び底壁を有する箱体に組み立て可能である。
【００２２】
具体的には、当該箱用シートは、組み立て状態で箱体の天壁を構成する長方形状の天面パネル１と、この天面パネル１の長辺（側縁）に連設され、箱体の第１の側壁を構成する長方形状の第１側面パネル２と、この第１側面パネル２の天面パネル１と反対側の側縁に連設され、上記天面パネル１と略等しい形状を有し、箱体の底壁を構成する底面パネル３と、この底面パネル３の第１側面パネル２と反対側の側縁に連設され、箱体の第１側面パネル２が構成する第１の側壁に対向する第２の側壁を形成する第２側面パネル４と、天面パネル１の第１側面パネル２と反対側の側縁に連設され、第２側面パネル４の底面パネル３と反対側の側縁近傍領域の表面に接合される糊しろパネル５とを備える。
【００２３】
また、当該箱用シートは、第１側面パネル２の両側端縁（端辺）から延出する一対の内フラップパネル（第１内フラップパネル６及び第２内フラップパネル７）と、第２側面パネル４の両側端縁から延出する一対の内フラップパネル（第３内フラップパネル８及び第４内フラップパネル９）と、天面パネル１の両側端縁から延出する一対の上外フラップパネル（第１上外フラップパネル１０及び第２上外フラップパネル１１）と、底面パネル３の両側端縁から延出する一対の下外フラップパネル（第１下外フラップパネル１２及び第２下外フラップパネル１３）とをさらに備える。
【００２４】
なお、本明細書において、「水平」とは、当該箱用シートを組み立ててなる箱体の想定される開函時における水平方向を意味し、「上下」とは、想定される開函時における上下方向を意味するが、当該箱用シートの製造時の向きや当該箱用シートを組み立ててなる箱体の開函前の輸送時や保管時における向きを制限することは企図しない。
【００２５】
当該箱用シートは、第２側面パネル４に糊しろパネル５が接合されることによって、天面パネル１、第１側面パネル２、底面パネル３及び第２側面パネル４が四角筒状に接続され、この四角筒体の一方の端部開口が、第１内フラップパネル６、第３内フラップパネル８、第１上外フラップパネル１０及び第１下外フラップパネル１２を組み合わせて構成される第３の側壁によって封止され、他方の端部開口が第２内フラップパネル７、第４内フラップパネル９、第２上外フラップパネル１１及び第２下外フラップパネル１３を組み合わせて構成される第４の側壁によって封止されることで、図２に示す箱体に組み立てられる。
【００２６】
より詳しくは、天面パネル１、第１側面パネル２、底面パネル３及び第２側面パネル４から形成される四角筒体は、一方の端部開口が、第１内フラップパネル６及び第３内フラップパネル８を内側に折り曲げ、この第１内フラップパネル６及び第３内フラップパネル８の外側に第１上外フラップパネル１０及び第１下外フラップパネル１２を折り曲げて接着することによって封止され、他方の端部開口が、第２内フラップパネル７及び第４内フラップパネル９を内側に折り曲げ、この第２内フラップパネル７及び第４内フラップパネル９の外側に第２上外フラップパネル１１及び第２下外フラップパネル１３を折り曲げて接着することによって封止される。
【００２７】
換言すると、当該箱用シートは、第１側面パネル２によって構成される第１の側壁、第２側面パネル４によって構成される第２の側壁、第１内フラップパネル６、第３内フラップパネル８、第１上外フラップパネル１０及び第１下外フラップパネル１２によって構成される第３の側壁、並びに第２内フラップパネル７、第４内フラップパネル９、第２上外フラップパネル１１及び第２下外フラップパネル１３によって構成される第４の側壁から形成される周壁の上下端を天面パネル１によって構成される天壁及び底面パネル３から構成される底壁で封止した箱体に組み立てることができる。
【００２８】
当該箱用シートの箱体への組み立ては、一般に、ラップアラウンドケーサーを使用して行うことができる。ラップアラウンドケーサーにおいて、第２側面パネル４への糊しろパネル５の接合、第１内フラップパネル６及び第３内フラップパネル８への第１上外フラップパネル１０及び第１下外フラップパネル１２の接着、並びに第２内フラップパネル７及び第４内フラップパネル９への第２上外フラップパネル１１及び第２下外フラップパネル１３の接着は、例えばホットメルト接着剤等を用いて行うことができる。
【００２９】
当該箱用シートは、箱体の４つの側壁の少なくとも一部を形成する複数のパネル（第１側面パネル２、第１内フラップパネル６、第２内フラップパネル７、第２側面パネル４、第３内フラップパネル８及び第４内フラップパネル９）に、組み立て状体で箱体の周壁の略全周に亘って破断可能に形成される分割破断容易線１４と、組み立て状態で隣接する２つの側壁（第２の側壁及び第３の側壁）の少なくとも一部を形成する２つの隣接するパネル（第２側面パネル４及び第３内フラップパネル８）に跨がって、図３に示すように、上記分割破断容易線１４に接続される開口を形成可能な開口形成部１５を有する。
【００３０】
また、当該箱用シートは、開口形成部１５が形成されていない２つの隣接するパネル間の境界のうち、分割破断容易線１４が交差する境界（第１側面パネル２及び第１内フラップパネル６間の境界、第１側面パネル２及び第２内フラップパネル７間の境界、並びに第２側面パネル４及び第４内フラップパネル９間の境界）に沿って、分割破断容易線１４から両方向に延びる３本の解体切断線１６を有する。
【００３１】
当該箱用シートは、分割破断容易線１４及び開口形成部１５を有することで、図３に示すように、開口形成部１５により第２の側壁と第３の側壁との角部に開口を形成し、図４に示すように、形成された開口に手の指をかけて、開口の上側と下側とを引き離すようにすることで、分割破断容易線１４に沿って箱体を上下２つに分離することができる。
【００３２】
＜分割破断容易線＞
分割破断容易線１４は、シート材を断続的に切断して形成される。
【００３３】
本実施形態の分割破断容易線１４は、第１側面パネル２を横断して形成される第１破断部１７と、第１内フラップパネル６を横断して形成される第２破断部１８と、第２内フラップパネル７を横断して形成される第３破断部１９と、第２側面パネル４を横断して形成される第４破断部２０と、第３内フラップパネル８を横断して形成される第５破断部２１と、第４内フラップパネル９を横断して形成される第６破断部２２とを有する。
【００３４】
この分割破断容易線１４は、当該箱用シートを組み立ててなる箱体において、第３の側壁の第２破断部１８及び第５破断部２１間が、第１上外フラップパネル１０及び第１下外フラップパネル１２間の間隙によって接続され、第４の側壁の第３破断部１９及び第６破断部２２間が、第２上外フラップパネル１１及び第２下外フラップパネル１３間の間隙によって接続されることで、周壁の略全周に亘って連続する。
【００３５】
なお、内フラップパネル６，７，８，９の破断部１８，１９，２１，２２と、上外フラップパネル１０，１１及び下外フラップパネル１２，１３間の間隙とが接続されるとは、分割破断容易線１４の破断によって第３の側壁及び第４の側壁をそれぞれ上下に分割することができるよう実質的に一続きに構成されていることを意味し、内フラップパネル６，７，８，９の破断部１８，１９，２１，２２と、上外フラップパネル１０，１１及び下外フラップパネル１２，１３間の間隙との配置が側面視で連続していることを必要としない。むしろ、内フラップパネル６，７，８，９の破断部１８，１９，２１，２２は、上外フラップパネル１０，１１又は下外フラップパネル１２，１３に覆い隠されるよう、上外フラップパネル１０，１１及び下外フラップパネル１２，１３間の間隙に対して上下いずれかの方向にオフセットして形成されることが好ましい。
【００３６】
分割破断容易線１４は、少なくとも１つの側壁内で、特に１枚のパネルから形成される側壁（第１側面パネル２から形成される第１の側壁及び第２側面パネル４から形成される第２の側壁）内で、上下方向に凸状となるよう湾曲して形成されることが好ましい。このように、分割破断容易線１４を湾曲して形成することによって、第１側面パネル２及び第２側面パネル４が分割破断容易線１４に沿って折れ曲がることを防止し、当該箱用シートを組み立ててなる箱体の座屈強度を向上することができる。
【００３７】
シート材の材質にもよるが、分割破断容易線１４におけるシート材の切断率の下限としては、３０％が好ましく、４０％がより好ましい。一方、分割破断容易線１４におけるシート材の切断率の上限としては、７５％が好ましく、６５％がより好ましい。分割破断容易線１４におけるシート材の切断率が上記下限に満たない場合、分割破断容易線１４の破断による開函が容易ではなくなるおそれがある。逆に、分割破断容易線１４におけるシート材の切断率が上記上限を超える場合、当該箱用シートを組み立ててなる箱体の強度が不十分となるおそれがある。
【００３８】
また、凸状に湾曲して形成された分割破断容易線１４の頂点の切断率を局所的に小さくしてもよい。このように、分割破断容易線１４の頂点における切断率を局所的に小さくすることによって、当該箱用シートを組み立ててなる箱体に圧縮応力が作用した場合に応力が集中しやすい分割破断容易線１４の頂点部分の破断強度を大きくすることで、分割破断容易線１４の意図しない破断を抑制することができる。
【００３９】
＜開口形成部＞
開口形成部１５は、この開口形成部１５が形成された２つの隣接するパネル（第２側面パネル４及び第３内フラップパネル８）の境界を挟んで分割破断容易線１４の第４破断部２０及び第５破断部２１から延びる一対の基端折曲容易線２３，２４と、この一対の基端折曲容易線２３，２４の先端間を接続する開口破断容易線２５と、第２側面パネル４及び第３内フラップパネル８の境界近傍位置において、開口破断容易線２５及び分割破断容易線１４間を接続するよう形成される開函開始切断線２６とを有する。
【００４０】
この開口形成部１５は、第２側面パネル４に、基端折曲容易線２３を基端とし、開口破断容易線２５、開函開始切断線２６及び分割破断容易線１４により画定される第１の舌片を形成し、第３内フラップパネル８に、基端折曲容易線２４を基端とし、開口破断容易線２５、開函開始切断線２６及び分割破断容易線１４により画定される第２の舌片を形成する。開口形成部１５は、これら一対の舌片を箱体の外側に引き起こすことにより第２の側壁と第３の側壁との角部に開口を形成することができる。
【００４１】
また、開函開始切断線２６は、第２の側壁と第３の側壁との境界から互い違いにオフセットされて開口破断容易線２５及び分割破断容易線１４間から延びる一対の端縁部２７，２８と、この一対の端縁部２７，２８の先端間を接続する接続部２９とを有する構成とすることができる。
【００４２】
このように、開函開始切断線２６を階段状に形成することによって、当該箱用シートを組み立ててなる箱体において、一対の舌片の先端（開口破断容易線２５の端縁部２７，２８）が側壁から互い違いに突出し、図３に示すように各舌片を引き起こして開口を形成する操作が容易となる。
【００４３】
端縁部２７，２８の第２の側壁と第３の側壁との境界からオフセット量の下限としては、当該箱用シートを形成するシート材の平均厚さの０．５倍が好ましく、０．６倍がより好ましい。一方、端縁部２７，２８の第２の側壁と第３の側壁との境界からオフセット量の上限としては、当該箱用シートを形成するシート材の平均厚さの１．０倍が好ましく、０．８倍がより好ましい。端縁部２７，２８の第２の側壁と第３の側壁との境界からオフセット量が上記下限に満たない場合、舌片の先端の突出が不十分となり、開口の形成を容易化できないおそれがある。逆に、端縁部２７，２８の第２の側壁と第３の側壁との境界からオフセット量が上記上限を超える場合、舌片の先端の突出量が大きすぎることで意図せずに開口が形成されるおそれがある。
【００４４】
また、組み立て状態で第３内フラップパネル８に貼着される第１上外フラップパネル１０及び第１下外フラップパネル１２には、第３内フラップパネル８の開口形成部１５を露出させる切欠３０，３１が形成されている。
【００４５】
開口形成部１５の水平方向の最大幅（基端折曲容易線２３，２４の間隔）の下限としては、４０ｍｍが好ましく、５０ｍｍがより好ましい。一方、開口形成部１５の最大幅の上限としては、８０ｍｍが好ましく、７０ｍｍがより好ましい。開口形成部１５の最大幅が上記下限に満たない場合、開口形成部１５により形成した開口内に指を入れることが困難となるおそれがある。逆に、開口形成部１５の最大幅が上記上限を超える場合、当該箱用シートを組み立ててなる箱体の強度が不必要に低下するおそれがある。
【００４６】
開口形成部１５の上下方向の最大高さの下限としては、２５ｍｍが好ましく、３０ｍｍがより好ましい。一方、開口形成部１５の最大高さの上限としては、５０ｍｍが好ましく、４５ｍｍがより好ましい。開口形成部１５の最大高さが上記下限に満たない場合、開口形成部１５により形成した開口内に指を入れることが困難となるおそれがある。逆に、開口形成部１５の最大高さが上記上限を超える場合、当該箱用シートを組み立ててなる箱体の強度が不必要に低下するおそれがある。
【００４７】
開口形成部１５は、複数のパネルが重ね合わせて貼着される側壁に形成することが好ましい。本実施形態では、糊しろパネル５が重ね合わされる第２側面パネル４と第１上外フラップパネル１０及び第１下外フラップパネル１２が重ね合わされる第３内フラップパネル８に跨がって開口形成部１５が形成されている。このように、開口形成部１５から形成される開口に手をかけて分割破断容易線１４を破断する力を直接作用させる側壁が、複数のシート材が張り合わされていることで強度を有することにより、開函時に側壁が変形して分割破断容易線１４以外の部分が破断することを防止できる。
【００４８】
＜解体切断線＞
解体切断線１６は、当該箱用シートを組み立てなる箱体を分割破断容易線１４に沿って上下に分割して開函して形成される一対のトレイ状体の側壁間を切り離し易くする。具体的には、当該箱用シートを組み立てなる箱体を開函して形成されるトレイ状体は、側壁の先端縁（天面パネル１及び底面パネル３と反対側の端縁）の角部に解体切断線１６が分割された切込みが形成されるため、この切込みを起点として第１側面パネル２及び第１内フラップパネル６間の境界、第１側面パネル２及び第２内フラップパネル７間の境界、並びに第２側面パネル４及び第４内フラップパネル９間の境界を容易に破断することができる。これにより、当該箱用シートを組み立てなる箱体の開函により形成される一対のトレイ状体を平坦に押し潰すことが容易であり、使用後の処分が簡単である。
【００４９】
加えて、当該箱用シートが段ボールシートから形成される場合、側壁間の境界に沿ってシート材を破断し易いよう、中芯の稜線が側壁間の境界に沿う方向に配向されることが好ましい。また、中芯をこのように配向することによって、当該箱用シートを組み立ててなる箱体の座屈強度を向上することもできる。
【００５０】
なお、開口形成部１５が形成される第２側面パネル４及び第３内フラップパネル８間の境界には、開函時に破断しないよう、解体切断線を設けないことが好ましい。また、開函により形成されるトレイ状体を平坦に押し潰す際、先に解体切断線１６を利用して第１側面パネル２及び第１内フラップパネル６間の境界、第１側面パネル２及び第２内フラップパネル７間の境界、並びに第２側面パネル４及び第４内フラップパネル９間の境界を破断することで、第２側面パネル４及び第３内フラップパネル８を破断する力を作用させやすくなる。
【００５１】
解体切断線１６の分割破断容易線１４からの延在長さの下限としては、３ｍｍが好ましく、４ｍｍがより好ましい。一方、解体切断線１６の分割破断容易線１４からの延在長さの上限としては、１５ｍｍが好ましく、１２ｍｍがより好ましい。解体切断線１６の分割破断容易線１４からの延在長さが上記下限に満たない場合、側壁を構成するパネル間の破断を十分に容易化できないおそれがある。逆に、解体切断線１６の分割破断容易線１４からの延在長さが上記上限を超える場合、当該箱用シートを組み立ててなる箱体の強度が不十分となるおそれがある。
【００５２】
＜利点＞
当該箱用シートを組み立ててなる箱体は、分割破断容易線１４及び開口形成部１５を有することで、図３に示すように、第２の側壁と第３の側壁との角部に開口を形成し、図４に示すように、形成された開口に手の指をかけて、開口の上側と下側とを引き離すようにすることで、分割破断容易線１４に沿って箱体を上下２つに分離することができる。
【００５３】
このように、当該箱用シートを組み立ててなる箱体は、容易且つ迅速に開函することができると共に、分離された下側部分を商品展示用トレイとして使用することができる。また、当該箱用シートは、１本の分割破断容易線１４に沿って箱体を分割するので、開函時にシート材の小片が発生しないため、開函後の箱用シートの処理が簡単である。
【００５４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５５】
本考案に係る箱用シートにおいて、４つの側壁、天壁及び底壁を形成するパネルの構成は上述の実施形態の構成に限られず、任意の構成とすることができる。
【００５６】
本考案に係る箱用シートは、分割破断容易線が直線状に形成されていてもよく、例えば波状に蛇行して形成されてもよい。
【００５７】
本考案に係る箱用シートにおいて、開口形成部の形態は、上記実施形態に限られず、例えばシート材を箱体の内側に押し込んで開口を形成するよう構成されてもよい。また、開口形成部は、開口を形成した後、分割破断容易線を破断する際に手をかける取手の機能を果たし得るよう構成されてもよい。
【００５８】
本考案に係る箱用シートにおいて、解体切断線は、省略してもよい。
【００５９】
本校案に係る箱用シートは、Ａ式（いわゆるみかん箱タイプ）の箱用シートに適用してもよい。
【産業上の利用可能性】
【００６０】
本考案に係る箱用シートは、商品輸送箱兼展示用トレイとして、特に好適に利用することができる。
【符号の説明】
【００６１】
１  天面パネル
２  第１側面パネル
３  底面パネル
４  第２側面パネル
５  糊しろパネル
６  第１内フラップパネル
７  第２内フラップパネル
８  第３内フラップパネル
９  第４内フラップパネル
１０  第１上外フラップパネル
１１  第２上外フラップパネル
１２  第１下外フラップパネル
１３  第２下外フラップパネル
１４  分割破断容易線
１５  開口形成部
１６  解体切断線
１７  第１破断部
１８  第２破断部
１９  第３破断部
２０  第４破断部
２１  第５破断部
２２  第６破断部
２３，２４  基端折曲容易線
２５  開口破断容易線
２６  開函開始切断線
２７，２８  端縁部
２９  接続部
３０，３１  切欠
【図１】
0003211642.tif 000003
【図２】
0003211642.tif 000004
【図３】
0003211642.tif 000005
【図４】
0003211642.tif 000006